(57)【要約】【課題】照明装置用の収納部材の内部に広いスペースを確保する。【解決手段】樹脂筐体３００（収納部材の例）は、本体部３１０、ボス部３２０、鍔部３３０、ネジ部３４０を有する。本体部３１０の内部には、ＬＥＤ基板に実装されたＬＥＤを点灯する点灯装置等の電子部品が収納される。ボス部３２０には、ＬＥＤ基板を金属筐体に締結する基板締結用ネジを本体部３１０の軸方向に沿って挿入するための穴が形成される。ボス部３２０の側壁の一部は、本体部３１０の側壁の外側に位置する。ボス部３２０の側壁において、本体部３１０の側壁の内側に位置する部分はない。鍔部３３０は、本体部３１０の下方の端部から外側に鍔状に突き出るように形成される。ネジ部３４０は、鍔部３３０の下方に形成される。【選択図】図１０
2015018649.tif 000002
【特許請求の範囲】
【請求項１】
筒状の本体部と、
締結部材を前記本体部の軸方向に沿って挿入するための穴が形成され、側壁の一部が前記本体部の側壁の外側に位置するように前記本体部の側壁に設けられるボス部と
を有することを特徴とする照明装置用の収納部材。
【請求項２】
前記ボス部は略円筒状であり、前記ボス部の外径が前記本体部の側壁の板厚よりも大きいことを特徴とする請求項１の照明装置用の収納部材。
【請求項３】
請求項１又は２の照明装置用の収納部材と、
前記収納部材の本体部に収納され、光源を点灯する点灯装置と、
前記光源が実装された基板と、
前記基板と前記収納部材の少なくとも一部とを収容する筐体であって、前記基板と前記収納部材とを隔てる隔壁を有する筐体と、
前記基板と前記筐体の隔壁とを貫通して前記収納部材のボス部の穴に挿入されることで前記基板を前記筐体の隔壁に締結する締結部材と
を備えることを特徴とする照明装置。
【請求項４】
前記筐体の内壁に前記収納部材のボス部が嵌合する溝が形成されたことを特徴とする請求項３の照明装置。
【請求項５】
前記収納部材のボス部が前記収納部材の本体部の側壁の一端面から突出し、前記筐体は前記収納部材のボス部が前記筐体の隔壁を貫通するように前記収納部材の少なくとも一部を収容することを特徴とする請求項３の照明装置。
【請求項６】
前記収納部材は、さらに、前記点灯装置と前記基板とを電気接続する電線を通すための穴と、前記ボス部の形状に合わせた切り欠きとが形成された蓋部を有することを特徴とする請求項３の照明装置。
【請求項７】
前記点灯装置に電気接続された口金部と、
前記光源を覆うカバーと
をさらに備え、
電球形に構成されたことを特徴とする請求項３から６のいずれかの照明装置。
【発明の詳細な説明】
【技術分野】
【０００１】
本発明は、照明装置用の収納部材及び照明装置に関するものである。本発明は、例えば、電球形照明装置の筐体部（樹脂筐体と金属筐体）の構造に関するものである。
【背景技術】
【０００２】
点灯回路を収容する絶縁部材を具備し、この絶縁部材が、電線通孔が開けられた閉鎖壁部を有する電球形照明装置がある（例えば、特許文献１参照）。
【０００３】
放熱部と、電源部を収容する筒状の取付体とを備え、放熱部が下端に爪受部を有し、取付体が外周面に爪部を有し、爪部が爪受部に嵌合することで放熱部に対する取付体の回動を規制する電球形照明装置がある（例えば、特許文献２参照）。
【０００４】
駆動回路部を収容する収容部を備え、この収容部が放熱板及び絶縁部により形成された電球形照明装置がある（例えば、特許文献３参照）。
【先行技術文献】
【特許文献】
【０００５】
【特許文献１】特開２００６−３１３７１７号公報
【特許文献２】特開２０１２−１７８３５１号公報
【特許文献３】特開２０１２−１３８３７９号公報
【発明の概要】
【発明が解決しようとする課題】
【０００６】
特許文献１の電球形照明装置では、ネジが光源基板を貫通して光源取付け部にねじ込まれることで、光源基板が固定される。このネジは、点灯回路を収容する絶縁部材の固定には用いられない。特許文献２及び３の電球形照明装置についても、特許文献１の電球形照明装置と同様である。
【０００７】
点灯回路を収容する絶縁部材にボス部を設け、ネジが光源基板を貫通して絶縁部材のボス部に挿入されるようにすることで、このネジを光源基板の固定だけでなく、絶縁部材の固定にも用いることができる。しかし、この場合、ボス部があることで、絶縁部材の内部の点灯回路を収容するスペースが狭くなってしまうおそれがある。
【０００８】
本発明は、例えば、照明装置用の収納部材にボス部を設ける構造を採用しながら、収納部材の内部に広いスペースを確保することを目的とする。
【課題を解決するための手段】
【０００９】
本発明の一の態様に係る照明装置用の収納部材は、
筒状の本体部と、
締結部材を前記本体部の軸方向に沿って挿入するための穴が形成され、側壁の一部が前記本体部の側壁の外側に位置するように前記本体部の側壁に設けられるボス部とを有する。
【発明の効果】
【００１０】
本発明の一の態様によれば、収納部材の本体部の側壁に設けられたボス部の側壁の一部が本体部の側壁の外側に位置するため、収納部材の内部に広いスペースを確保することができる。
【図面の簡単な説明】
【００１１】
【図１】実施の形態１に係る照明装置の正面図。
【図２】実施の形態１に係る照明装置のＬＥＤ基板及び金属筐体の斜視図。
【図３】実施の形態１に係る照明装置のＬＥＤ基板の斜視図。
【図４】実施の形態１に係る照明装置の金属筐体の斜視図。
【図５】実施の形態１に係る照明装置の金属筐体の正面図。
【図６】実施の形態１に係る照明装置の金属筐体の上面図。
【図７】実施の形態１に係る照明装置の金属筐体のＡ−Ａ断面図。
【図８】実施の形態１に係る照明装置の金属筐体のＢ−Ｂ断面図。
【図９】実施の形態１に係る照明装置のグローブの斜視図。
【図１０】実施の形態１に係る照明装置の樹脂筐体の斜視図。
【図１１】実施の形態１に係る照明装置の樹脂筐体の正面図。
【図１２】実施の形態１に係る照明装置の樹脂筐体の上面図。
【図１３】実施の形態１に係る照明装置の樹脂筐体のＣ−Ｃ断面図。
【図１４】実施の形態１に係る照明装置の樹脂筐体のＤ−Ｄ断面図。
【図１５】実施の形態１に係る照明装置の樹脂筐体の蓋部の斜視図。
【発明を実施するための形態】
【００１２】
以下、本発明の実施の形態について、図を用いて説明する。なお、実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１３】
実施の形態１．
本実施の形態の説明では、説明の便宜のため、光の照射方向側を上側（上方）、その反対側を下側（下方）とするが、実際の光の照射方向は重力方向、水平方向（重力方向と直交する方向）、あるいは、その他の方向（重力方向に対して斜めの方向）であってもよい。
【００１４】
図１は、本実施の形態に係る照明装置５００の正面図である。
【００１５】
図１に示すように、照明装置５００は、グローブ１００、金属筐体２００、樹脂筐体３００、口金部４００を備える。照明装置５００は、例えば、電球形ＬＥＤランプである。
【００１６】
グローブ１００は、光源を覆うカバーの例である。金属筐体２００は、光源が実装された基板と樹脂筐体３００の少なくとも一部とを収容する筐体（放熱部材）の例である。樹脂筐体３００は、光源を点灯する点灯装置（図示していない）を収納する筐体（収納部材）の例である。グローブ１００、金属筐体２００、樹脂筐体３００の詳細については後述する。
【００１７】
口金部４００は、樹脂筐体３００の下方の端部に取り付けられる。口金部４００は、外部の電源と電気的に接続されたソケット（図示していない）に接続されるとともに、樹脂筐体３００に収納された点灯装置に電気接続され、点灯装置に電力を供給する。
【００１８】
図２は、照明装置５００のＬＥＤ基板２５０及び金属筐体２００の斜視図である。
【００１９】
図２に示すように、金属筐体２００には、ＬＥＤ基板２５０が取り付けられる。ＬＥＤ基板２５０は、基板締結用ネジ２６０により金属筐体２００に締結される。ＬＥＤ基板２５０には、光源としてＬＥＤ２５１が実装される。なお、ＬＥＤ基板２５０は、光源が実装された基板の例であり、ＬＥＤ２５１以外の光源が実装された基板に置き換えられてもよい。ＬＥＤ２５１以外の光源としては、例えば、レーザーダイオード、有機ＥＬを用いることができる。
【００２０】
図３は、照明装置５００のＬＥＤ基板２５０の斜視図である。
【００２１】
図３に示すように、ＬＥＤ基板２５０は、円盤状の基板である。ＬＥＤ基板２５０の円形板面（ＬＥＤ２５１の実装面）の中央部には、リード線等を通す基板孔２５２が形成される。ＬＥＤ基板２５０の円形板面の周縁近傍には、基板孔２５２を挟んでＬＥＤ基板２５０の円形板面の径方向に並ぶように２つの貫通孔２５３が形成される。ＬＥＤ基板２５０の周縁近傍には、さらに、１２個のＬＥＤ２５１が実装される。ＬＥＤ２５１は、２つの貫通孔２５３を結ぶ直線（径）の両側に、６個ずつ配置される。なお、ＬＥＤ基板２５０の形状、ＬＥＤ２５１の配置、個数等は適宜変更可能である。
【００２２】
図４は、照明装置５００の金属筐体２００の斜視図である。図５は、金属筐体２００の正面図である。図６は、金属筐体２００の上面図である。図７は、金属筐体２００のＡ−Ａ断面図である。図８は、金属筐体２００のＢ−Ｂ断面図である。
【００２３】
図４から図８に示すように、金属筐体２００は、光源取付部２１０、フィン２３０、本体部２４０を備える。金属筐体２００は、例えば、アルミニウム等の熱伝導性のよい金属で形成される。ただし、熱伝導性のよい材質であれば、金属でなくても構わない。金属筐体２００は、例えば、型抜き製法等により、一体成形される。
【００２４】
本体部２４０は、下面側よりも上面側の面積が広い円錐台状である。なお、本体部２４０は、円錐台状に限らず、円柱状、楕円柱状、角柱状等でもよい。
【００２５】
光源取付部２１０は、本体部２４０の上面（一方の端面）側に設けられる。光源取付部２１０には、ＬＥＤ基板２５０が取り付けられる。光源取付部２１０は、ＬＥＤ基板２５０に当接する円形の光源取付面２１３を有する。光源取付面２１３には、ＬＥＤ基板２５０のＬＥＤ２５１が実装される実装面の裏面が接着剤等により接着される。光源取付面２１３の中央部には、リード線等を通す電線挿通孔２１１が形成される。光源取付面２１３の周縁近傍には、電線挿通孔２１１を挟んで光源取付面２１３の径方向に並ぶように２つの貫通孔２１２が形成される。それぞれの貫通孔２１２は、後述する空洞２２７と連通する。なお、光源取付面２１３は、円形に限らず、長方形、楕円形等でもよい。
【００２６】
光源取付部２１０の周囲には、グローブ１００を取り付けるための環状の取付溝２２０が形成される。取付溝２２０は、内周側の溝内周壁２２４、外周側の溝外周壁２２１、溝内周壁２２４と溝外周壁２２１との間の溝底部２２３から形成される。溝外周壁２２１の上端縁の近傍には、溝外周壁２２１に沿って環状の係合凹部２２２が形成される。
【００２７】
フィン２３０は、金属筐体２００の側面から複数立設する。フィン２３０は、本体部２４０の径方向外側に突出するように本体部２４０と一体成形される。フィン２３０は、例えば、等間隔に２０枚設けられる。フィン２３０は、光源取付部２１０に取り付けられるＬＥＤ基板２５０の熱（ＬＥＤ基板２５０に実装されるＬＥＤ２５１等が発する熱）を放熱し、温度上昇によるＬＥＤ２５１等の部品の劣化を防止する。なお、フィン２３０の配置、枚数等は適宜変更可能である。
【００２８】
フィン２３０は、本体部２４０の上面（一方の端面）側から本体部２４０の下面（他方の端面）側に向かって、湾曲面２３１、連続面２３２を有する。湾曲面２３１は、本体部２４０の外側に凸状に湾曲する。連続面２３２は、湾曲面２３１に連続し、湾曲面２３１の頂上Ｘより低くなっている。このように、本実施の形態では、フィン２３０の高さが本体部２４０の外側に凸状の湾曲面２３１の頂上Ｘで最も高くなっているため、照明装置５００でグローブ１００から斜め下方に出射される光のほとんどがフィン２３０によって妨げられることなく外部に照射される。よって、照明装置５００で広い配光角が得られる。
【００２９】
フィン２３０は、羽形状であり、湾曲面２３１が帯状の曲面、連続面２３２が帯状の曲面と帯状の傾斜平面とがつながった面、両側面が本体部２４０の側面から本体部２４０の外側に向かって延びる平面となっている。フィン２３０の側面は、輪郭が略Ｄ字状である。なお、連続面２３２は、曲面を含んでいなくてもよいし、逆に、全体が曲面であってもよい。また、連続面２３２は、傾斜しない平面（垂直平面）を含んでいてもよい。
【００３０】
フィン２３０の湾曲面２３１と本体部２４０の上面とのなす角度Ｒ１は、１５度以上２５度以下である。つまり、１５°＜Ｒ１＜２５°である。ここで、フィン２３０の湾曲面２３１と本体部２４０の上面とのなす角度Ｒ１とは、本体部２４０の上面から本体部２４０の外側下方を臨める角度のことである。より具体的には、金属筐体２００を正面から見たときに、フィン２３０の湾曲面２３１と本体部２４０の上面との境界位置（接続点）を通るフィン２３０の湾曲面２３１の接線と、本体部２４０の上面に対して平行な直線とのなす角度のことである。１５°＜Ｒ１＜２５°の関係が満たされれば、十分な放熱性を確保しつつ、照明装置５００で広い配光角が得られる。計算上、１５°＜Ｒ１＜２５°の関係が満たされれば、照明装置５００で２００度以上の１／２ビーム角（配光角）を得ることができる。実際に、フィン２３０の湾曲面２３１と本体部２４０の上面とのなす角度Ｒ１を２０度としたところ、照明装置５００で２３０度の１／２ビーム角を得ることができた。なお、１／２ビーム角とは、配光曲線において、中心に対し、明るさが半分になる角度のことである。例えば、１／２ビーム角が２３０度の照明装置５００では、光軸の両側に広がる２３０度の範囲において、光軸上で得られる明るさの少なくとも半分の明るさが得られることになる。
【００３１】
フィン２３０の湾曲面２３１は、本体部２４０の側面の上端縁から、徐々に高くなるように湾曲して下方に延びていき、頂上Ｘで連続面２３２につながる。本実施の形態では、フィン２３０が本体部２４０の上端から設けられているため、放熱性が向上する。なお、湾曲面２３１は、本体部２４０の側面の上端縁より下の位置から形成されていてもよい。つまり、フィン２３０は、本体部２４０の上端より下の位置から設けられていてもよい。
【００３２】
フィン２３０の連続面２３２は、湾曲面２３１の頂上Ｘにつながり、徐々に低くなるように傾斜して本体部２４０の側面の下端縁より上の位置まで延びる。本実施の形態では、フィン２３０の高さが下方に向かって徐々に低くなっているため、照明装置５００を挿入するための開口部が狭い器具にも照明装置５００を取り付けることができる。即ち、器具適合率が上がる。また、フィン２３０が本体部２４０の下端より上の位置までしか設けられていないため、さらに、器具適合率が上がる。なお、連続面２３２は、本体部２４０の側面の下端縁まで形成されていてもよい。つまり、フィン２３０は、本体部２４０の下端まで設けられていてもよい。
【００３３】
フィン２３０の上端から頂上Ｘまでの垂直距離Ｌ１（フィン２３０の湾曲面２３１の上下方向における長さ）は、本体部２４０の上端から下端までの垂直距離Ｌ３（本体部２４０の側面の上下方向における長さ）の０．１倍以上０．２倍以下であることが望ましい。つまり、（Ｌ３×０．１）≦Ｌ１≦（Ｌ３×０．２）であることが望ましい。
【００３４】
フィン２３０の頂上Ｘから下端までの垂直距離Ｌ２（フィン２３０の連続面２３２の上下方向における長さ）は、本体部２４０の上端から下端までの垂直距離Ｌ３の０．７倍以上０．８倍以下であることが望ましい。つまり、（Ｌ３×０．７）≦Ｌ２≦（Ｌ３×０．８）であることが望ましい。
【００３５】
ここで、フィン２３０の上端から頂上Ｘまでの垂直距離Ｌ１は、例えば５．６ｍｍである。フィン２３０の頂上Ｘから下端までの垂直距離Ｌ２は、例えば２５．３ｍｍである。本体部２４０の上端から下端までの垂直距離Ｌ３は、例えば３３．９ｍｍである。このとき、（Ｌ３×０．１）≦Ｌ１≦（Ｌ３×０．２）の関係、（Ｌ３×０．７）≦Ｌ２≦（Ｌ３×０．８）の関係はいずれも満たされる。
【００３６】
フィン２３０は、本体部２４０の上面側から本体部２４０の下面側に向かって幅が徐々に狭まる。例えば、フィン２３０の上端の幅Ｗ１を下端の幅Ｗ２の約１．５倍とする。これにより、例えば、金属筐体２００を金型で成形する際に、成形後の金属筐体２００を金型から取り出しやすくなる。
【００３７】
フィン２３０間の距離は、どの位置においても等しい。つまり、隣接するフィン２３０の側面同士は、互いに平行である。なお、フィン２３０間の距離が本体部２４０の上面側から本体部２４０の下面側に向かって徐々に短くなっていてもよい。
【００３８】
本体部２４０の隣接するフィン２３０に挟まれた部分は、その隣接するフィン２３０の湾曲面２３１の頂上Ｘと同じ位置で最も外側に出る。例えば、本体部２４０の側面は、上端縁から頂上Ｘまで垂直であり（又は徐々に高くなり）、頂上Ｘから下端縁まで徐々に低くなる。つまり、本体部２４０の側面は「く」字状である。これにより、例えば、金属筐体２００を金型で成形する際に、頂上Ｘに相当する位置で上型と下型を分離するようにすれば、成形後の金属筐体２００を金型から取り出しやすくなる。
【００３９】
金属筐体２００の内部には、樹脂筐体３００の一部を収納するための円柱状の空洞２２７が形成される。空洞２２７の周壁（金属筐体２００の内壁）には、空洞２２７の軸方向に沿って延びる２つの嵌合溝２２８と１つのガイド溝２２９が形成される。２つの嵌合溝２２８は、光源取付部２１０の２つの貫通孔２１２に１対１で対応する。それぞれの嵌合溝２２８の内径は、対応する貫通孔２１２の内径に一致し、それぞれの嵌合溝２２８は、対応する貫通孔２１２と連続して、金属筐体２００の下端まで延びる。よって、２つの嵌合溝２２８は、空洞２２７の径方向に沿って対向する位置にある。別の言い方をすれば、２つの嵌合溝２２８のうち一方の嵌合溝２２８が、空洞２２７の円形底壁の中心に対して０度の位置にあるとしたとき、他方の嵌合溝２２８は、空洞２２７の円形底壁の中心に対して１８０度の位置にある。このとき、ガイド溝２２９は、空洞２２７の円形底壁の中心に対して９０度の位置にある。ガイド溝２２９は、空洞２２７の周壁の上端縁より下の位置から金属筐体２００の下端まで延びる。
【００４０】
本実施の形態において、光源取付部２１０は、光源取付部２１０に取り付けられるＬＥＤ基板２５０と、空洞２２７に一部が収納される樹脂筐体３００とを隔てる隔壁となる。
【００４１】
図９は、照明装置５００のグローブ１００の斜視図である。
【００４２】
図９に示すように、グローブ１００は、光透過部１１０、取付筒部１２０、係合凸部１３０、固定部１４０を備える。
【００４３】
光透過部１１０は、透明あるいは半透明の樹脂により形成される。樹脂としては、例えばポリカーボネートやアクリル等の材料が製品仕様に応じて選択される。光透過部１１０は、所定の板厚を有する樹脂を、球形に成形したものである。光透過部１１０は、正確には、内部が空洞の球の一部が欠けた形状である。光透過部１１０は、ＬＥＤ基板２５０に実装されたＬＥＤ２５１が発する光を内部から外部に透過させる。光透過部１１０は、製品仕様に応じて、光を拡散、集光、反射させる機能を備えてもよい。これらの機能については、光透過部１１０の基材である樹脂を成形する際に拡散層（あるいは拡散面）、レンズ、反射層（あるいは反射面）等を形成して基材自体が当該機能を直接有するようにしてもよいし、基材の表面に当該機能を有する光学フィルム等の別の部材を貼合する等の方法で実現してもよい。なお、光透過部１１０の形状は、球形に限らず、半球形、長球形、直方体形、ドーム型等でもよい。
【００４４】
取付筒部１２０は、光透過部１１０と一体に形成される。取付筒部１２０は、所定の板厚の樹脂を、筒状に成形したものである。つまり、取付筒部１２０は、光透過部１１０の球の欠けた部分を筒状に突き出るようにしたものである。
【００４５】
係合凸部１３０は、取付筒部１２０の外周面から突き出るように所定の数形成される。
【００４６】
固定部１４０は、取付筒部１２０の下方の端部から外側に鍔状に突き出るように形成される。
【００４７】
取付筒部１２０は、金属筐体２００の取付溝２２０に挿入される。取付筒部１０が取付溝２２０に挿入されると、係合凸部１３０が取付溝２２０に形成された係合凹部２２２に係合する。固定部１４０は、取付溝２２０の底部である溝底部２２３近傍に固定される。これにより、グローブ１００が金属筐体２００に固定される。
【００４８】
図１０は、照明装置５００の樹脂筐体３００の斜視図である。図１１は、樹脂筐体３００の正面図である。図１２は、樹脂筐体３００の上面図である。図１３は、樹脂筐体３００のＣ−Ｃ断面図である。図１４は、樹脂筐体３００のＤ−Ｄ断面図である。図１５は、樹脂筐体３００の蓋部３５０の斜視図である。
【００４９】
図１０から図１５に示すように、樹脂筐体３００は、本体部３１０、ボス部３２０、鍔部３３０、ネジ部３４０、蓋部３５０を有する。本体部３１０、ボス部３２０、鍔部３３０、ネジ部３４０は、例えば、ポリエチレンテレフタレート等の樹脂により一体成形される。蓋部３５０は、例えば、本体部３１０等と同じ樹脂により成形され、本体部３１０の上方の端部に装着される。なお、図１０から図１４は、樹脂筐体３００の本体部３１０に蓋部３５０が装着される前の状態を示している。
【００５０】
本体部３１０は、略円筒状である。本体部３１０の内部には、ＬＥＤ基板２５０に実装されたＬＥＤ２５１を点灯させるために、いくつかの電子部品が実装された点灯装置等が収納される。本体部３１０の側壁（外周壁）には、直方形状の挿入ガイド３１１が設けられる。挿入ガイド３１１は、本体部３１０の上端より下の位置から本体部３１０の下端より上の位置まで本体部３１０の軸方向に沿って延びる。本体部３１０の上方の端部には、４本の嵌合ガイド３１２が互いに等間隔に設けられる。それぞれの嵌合ガイド３１２は、円柱状であり、本体部３１０の環状の上端面から上方に突出する。
【００５１】
ボス部３２０は、略円筒状であり、本体部３１０の側壁に２つ設けられる。２つのボス部３２０は、互いに等間隔に設けられる。つまり、２つのボス部３２０は、本体部３１０の周方向において１８０度離れた位置に設けられる。なお、２つのボス部３２０は、１８０度以外の角度で離れた位置に設けられてもよい。ボス部３２０の個数は、２つに限らず、１つでもよいし、３つ以上でもよい。
【００５２】
ボス部３２０には、前述した基板締結用ネジ２６０を本体部３１０の軸方向に沿って挿入するための穴３２１が形成される。基板締結用ネジ２６０は、締結部材の例であり、代わりに、リベットや圧入ボルト等、他の種類の締結部材が用いられてもよい。
【００５３】
ボス部３２０の側壁の一部である外側部３２２は、本体部３１０の側壁の外側に位置する。つまり、ボス部３２０の側壁の最も外側の部分（ボス部３２０の最外部）は、本体部３１０の側壁の最も外側の部分（本体部３１０の最外部）よりも外側に位置する。ここで、ボス部３２０の太さは、基板締結用ネジ２６０を挿入するための穴３２１が形成できる程度の太さでなければならない。よって、ボス部３２０があることで、本体部３１０の内部の点灯装置等を収容するスペースが狭くなってしまうおそれがある。しかし、本実施の形態では、ボス部３２０が本体部３１０の外側にずれているため、その分、本体部３１０の内部のスペースが広くなる。即ち、本実施の形態によれば、樹脂筐体３００の内部に広いスペースを確保することができる。
【００５４】
ボス部３２０の（外側部３２２と反対側の）側壁の一部である内側部３２３は、本体部３１０の側壁の内側に位置する。つまり、ボス部３２０の側壁の最も内側の部分（ボス部３２０の最内部）は、本体部３１０の側壁の最も内側の部分（本体部３１０の最内部）よりも内側に位置する。このように、本実施の形態では、２つのボス部３２０が本体部３１０の内側に張り出しているため、内側に張り出した部分（内側部３２３）を、本体部３１０の内部における点灯装置等の位置決めに利用することができる。
【００５５】
ボス部３２０の外径Ｄ１は、本体部３１０の側壁の板厚Ｄ２よりも大きい。つまり、Ｄ１＞Ｄ２である。Ｄ１＞Ｄ２の関係が満たされれば、ボス部３２０の外側部３２２が本体部３１０の側壁の外側に位置し、かつ、ボス部３２０の内側部３２３が本体部３１０の側壁の内側に位置する構造を実現することができる。
【００５６】
ボス部３２０の外径Ｄ１は、本体部３１０の側壁の板厚Ｄ２の２倍以上３倍以下であることが望ましい。つまり、（Ｄ２×２）≦Ｄ１≦（Ｄ２×３）であることが望ましい。
【００５７】
ここで、絶縁性の確保と本体部３１０の小型化との両立を図るため、本体部３１０の側壁の板厚Ｄ２は、例えば１．６６ｍｍとする。基板締結用ネジ２６０として一般的なＭ２タッピングネジを用いるとして、ボス部３２０の内径Ｄ３（穴３２１の直径）は、例えば１．７ｍｍとする。ボス部３２０の強度の確保とボス部３２０の小型化との両立を図るため、ボス部３２０の側壁の板厚は、例えば１．０ｍｍとする。このとき、Ｄ１＝Ｄ３＋１．０×２＝３．７ｍｍとなるから、Ｄ１＞Ｄ２の関係は満たされる。さらに、（Ｄ２×２）≦Ｄ１≦（Ｄ２×３）の関係も満たされる。
【００５８】
ボス部３２０の穴３２１の中心は、本体部３１０の側壁の中央に位置する。このため、ボス部３２０の外側部３２２と内側部３２３は、本体部３１０の側壁から略同じ幅だけ張り出している。つまり、ボス部３２０は、本体部３１０の側壁の両側に均等に張り出している。
【００５９】
ボス部３２０の先端部３２４は、本体部３１０の側壁の一端面（本体部３１０の上端面）から突出する。
【００６０】
ボス部３２０の高さＨ１は、ボス部３２０の本体部３１０から上方に突出した部分（ボス部３２０の先端部３２４）の高さＨ２の１．５倍以上２．５倍以下であることが望ましい。つまり、（Ｈ２×１．５）≦Ｈ１≦（Ｈ２×２．５）であることが望ましい。
【００６１】
ここで、ボス部３２０の高さＨ１は、例えば１０．９ｍｍである。ボス部３２０の本体部３１０から上方に突出した部分の高さＨ２は、例えば６．１ｍｍである。このとき、（Ｈ２×１．５）≦Ｈ１≦（Ｈ２×２．５）の関係は満たされる。
【００６２】
ボス部３２０の穴３２１の深さＨ３は、ボス部３２０の本体部３１０から上方に突出した部分の高さＨ２よりも小さい。つまり、Ｈ３＜Ｈ２である。
【００６３】
ここで、ボス部３２０の穴３２１の深さＨ３は、例えば５．０ｍｍである。前述したように、ボス部３２０の本体部３１０から上方に突出した部分の高さＨ２は、例えば６．１ｍｍである。このとき、Ｈ３＜Ｈ２の関係は満たされる。
【００６４】
本体部３１０の側壁の外周面は、上端縁から下端縁まで垂直に延びている。上から見たときにボス部３２０がない部分では、本体部３１０自体の上端が本体部３１０の側壁の外周面の上端縁となる。ボス部３２０がある部分では、ボス部３２０の下端が本体部３１０の側壁の外周面の上端縁となる。ボス部３２０の外側部３２２と本体部３１０の側壁は段差３２５を介して連続している。一方、本体部３１０の側壁の内周面は、一部が上端縁から下端縁まで斜めに延びている。斜めに延びている部分の角度Ｒ２は、例えば９０．５度である。その他の部分の角度Ｒ３は９０度である。上から見たときにボス部３２０がない部分では、本体部３１０自体の上端が本体部３１０の側壁の内周面の上端縁となる。ボス部３２０がある部分では、ボス部３２０の下端が本体部３１０の側壁の内周面の上端縁（図１４の点線Ｙ）となる。このボス部３２０がある部分では、本体部３１０の側壁の内周面がボス部３２０の内側部３２３と同様の形状で内側に凸状に湾曲している。ボス部３２０の内側部３２３と本体部３１０の側壁は連続しており、同じ角度Ｒ２で傾斜している。つまり、ボス部３２０は、下端から上端に向かって徐々に細くなる（前述した外径Ｄ１は、例えば上端の外径とする）。これにより、ボス部３２０の先端部３２４を金属筐体２００の光源取付部２１０の貫通孔２１２に挿入しやすくなる。
【００６５】
樹脂筐体３００は、以下のような方法（照明装置５００の筐体部の組立方法、即ち、照明装置５００の製造方法）で、金属筐体２００に装着される。
【００６６】
まず、樹脂筐体３００の２つのボス部３２０が金属筐体２００の２つの嵌合溝２２８に挿入でき、かつ、樹脂筐体３００の本体部３１０の挿入ガイド３１１が金属筐体２００のガイド溝２２９に挿入できるように、２つのボス部３２０と挿入ガイド３１１の位置が調整される。次に、樹脂筐体３００の上端部が金属筐体２００の空洞２２７の奥まで挿入される。これにより、２つのボス部３２０の外側部３２２が金属筐体２００の２つの嵌合溝２２８に嵌合する。また、２つのボス部３２０の先端部３２４が金属筐体２００の光源取付部２１０の２つの貫通孔２１２を貫通する。このとき、先端部３２４の上端面の高さは、金属筐体２００の光源取付面２１３の高さに一致する。つまり、先端部３２４の上端面の高さは、ＬＥＤ基板２５０の裏面の高さに一致する。続いて、２本の基板締結用ネジ２６０が、光源取付部２１０の２つの貫通孔２１２を貫通している２つのボス部３２０の穴３２１に挿入される。このとき、２つの基板締結用ネジ２６０は、金属筐体２００の光源取付部２１０に取り付けられたＬＥＤ基板２５０の２つの貫通孔２５３と、光源取付部２１０の２つの貫通孔２１２とを順番に貫通する。これにより、ＬＥＤ基板２５０が、金属筐体２００の光源取付部２１０に締結される。
【００６７】
上記のように、本実施の形態では、樹脂筐体３００が金属筐体２００に装着される際に、２つのボス部３２０の外側部３２２が金属筐体２００の２つの嵌合溝２２８に嵌合するため、金属筐体２００に対する樹脂筐体３００の回動を防止することができる。なお、基板締結用ネジ２６０によって、金属筐体２００と樹脂筐体３００とが締結されれば、金属筐体２００に対する樹脂筐体３００の回動を防止できる。この場合、ＬＥＤ基板２５０の裏面と光源取付面２１３とは接着部材等を用いて接着されてもよい。
【００６８】
また、本実施の形態では、２つのボス部３２０の位置を金属筐体２００の２つの嵌合溝２２８に合わせなければ、樹脂筐体３００を金属筐体２００に挿入できないようになっているため、樹脂筐体３００が間違った向きで挿入されることを防止できる。ただし、２つのボス部３２０だけでは、樹脂筐体３００が正しい向きから１８０度回転した向きでも挿入できてしまう。そのため、本実施の形態では、さらに、本体部３１０に挿入ガイド３１１を設けている。即ち、本実施の形態では、挿入ガイド３１１の位置を金属筐体２００のガイド溝２２９に合わせなければ、樹脂筐体３００を金属筐体２００に挿入できないようになっているため、樹脂筐体３００が間違った向きで挿入されることを確実に防止できる。なお、挿入ガイド３１１を設けることに代えて、２つのボス部３２０を１８０度以外の角度で離れた位置に設けるようにしても、同様の効果を得ることができる。
【００６９】
本実施の形態において、本体部３１０は、筒状であれば、略円筒状に限らず、他の形状であってもよい。金属筐体２００の空洞２２７の形状は、本体部３１０の形状に合わせて適宜変更すればよい。
【００７０】
ボス部３２０は、基板締結用ネジ２６０を挿入するための穴３２１が形成されていれば、略円筒状に限らず、他の形状であってもよい。光源取付部２１０の貫通孔２１２の形状は、ボス部３２０の形状に合わせて適宜変更すればよい。
【００７１】
ボス部３２０は、本体部３１０の上端面から突出しなくてもよい。つまり、ボス部３２０は、光源取付部２１０の貫通孔２１２を貫通しなくてもよい。この場合、基板締結用ネジ２６０のみが光源取付部２１０の貫通孔２１２を貫通してボス部３２０の穴３２１に挿入される。
【００７２】
ボス部３２０の側壁において、本体部３１０の側壁の内側に位置する部分（内側部３２３）はなくてもよい。例えば、ボス部３２０の最内部は、本体部３１０の最内部と同じ位置にあってもよい。この場合、ボス部３２０が本体部３１０の内側に張り出さないため、樹脂筐体３００の内部に、より一層広いスペースを確保することができる。
【００７３】
鍔部３３０は、本体部３１０の下方の端部から外側に鍔状に突き出るように形成される。鍔部３３０の外径は、金属筐体２００の下方の端部の内径よりも大きくなければならない。意匠性の向上のため、鍔部３３０の外径は、金属筐体２００の下方の端部の外径と同じであることが望ましい。本実施の形態では、ボス部３２０が鍔部３３０の内側に設けられるが、鍔部３３０の外側に設けられてもよい。
【００７４】
樹脂筐体３００が金属筐体２００に装着される際には、鍔部３３０が、金属筐体２００の下方の端部に当接し、樹脂筐体３００が必要以上に金属筐体２００の空洞２２７の奥に挿入されることを阻止する。
【００７５】
ネジ部３４０は、鍔部３３０の下方に形成される。ネジ部３４０には、口金部４００が螺合される。
【００７６】
蓋部３５０は、本体部３１０の上方の開口部を覆うように本体部３１０と嵌合する。蓋部３５０には、通線筒部３５１、２つの嵌合凹部３５２、４つの嵌合孔部３５３が形成される。通線筒部３５１は、円筒状であり、本体部３１０に収納される点灯装置とＬＥＤ基板２５０とを電気接続する電線を通すための穴が形成されたものである。樹脂筐体３００が金属筐体２００に装着された状態では、通線筒部３５１が金属筐体２００の光源取付部２１０の電線挿通孔２１１を貫通する。２つの嵌合凹部３５２は、２つのボス部３２０の位置及び形状（太さ）に合わせた切り欠きであり、２つのボス部３２０と嵌合する。４つの嵌合孔部３５３は、本体部３１０の４本の嵌合ガイド３１２の位置及び形状（太さ）に合わせた穴であり、４本の嵌合ガイド３１２と嵌合する。なお、４本の嵌合ガイド３１２を蓋部３５０に、４つの嵌合孔部３５３を本体部３１０にそれぞれ形成して、互いに嵌合できるようにしてもよい。
【００７７】
なお、蓋部３５０は、本体部３１０と一体成形されてもよい。樹脂筐体３００は、蓋部３５０を有していなくてもよい。
【００７８】
以上、本発明の実施の形態について説明したが、本発明は、この実施の形態に限定されるものではなく、必要に応じて種々の変更が可能である。
【符号の説明】
【００７９】
１００  グローブ、１１０  光透過部、１２０  取付筒部、１３０  係合凸部、１４０  固定部、２００  金属筐体、２１０  光源取付部、２１１  電線挿通孔、２１２  貫通孔、２１３  光源取付面、２２０  取付溝、２２１  溝外周壁、２２２  係合凹部、２２３  溝底部、２２４  溝内周壁、２２７  空洞、２２８  嵌合溝、２２９  ガイド溝、２３０  フィン、２３１  湾曲面、２３２  連続面、２４０  本体部、２５０  ＬＥＤ基板、２５１  ＬＥＤ、２５２  基板孔、２５３  貫通孔、２６０  基板締結用ネジ、３００  樹脂筐体、３１０  本体部、３１１  挿入ガイド、３１２  嵌合ガイド、３２０  ボス部、３２１  穴、３２２  外側部、３２３  内側部、３２４  先端部、３２５  段差、３３０  鍔部、３４０  ネジ部、３５０  蓋部、３５１  通線筒部、３５２  嵌合凹部、３５３  嵌合孔部、４００  口金部、５００  照明装置。
【図１】
2015018649.tif 000003
【図２】
2015018649.tif 000004
【図３】
2015018649.tif 000005
【図４】
2015018649.tif 000006
【図５】
2015018649.tif 000007
【図６】
2015018649.tif 000008
【図７】
2015018649.tif 000009
【図８】
2015018649.tif 000010
【図９】
2015018649.tif 000011
【図１０】
2015018649.tif 000012
【図１１】
2015018649.tif 000013
【図１２】
2015018649.tif 000014
【図１３】
2015018649.tif 000015
【図１４】
2015018649.tif 000016
【図１５】
2015018649.tif 000017